(57)【特許請求の範囲】
【請求項１】
撮像手段による画像の撮影を制御する撮影制御装置であって、
第１の表示アイテムと、第２の表示アイテムとを表示手段の表示画面に表示させる表示制御手段と、
前記表示画面へのタッチ操作を検出する検出手段と、
前記第１の表示アイテムへのタッチが検出されたことに応じて、撮影に関する特定の撮影設定の調整を行う撮影準備動作を前記撮像手段に実行させるための制御を行う撮影準備制御手段と、
前記第２の表示アイテムへのタッチが検出されたことに応じて、画像の撮影および撮影した画像の記録を行う撮影動作を前記撮像手段に実行させるための制御を行う撮影制御手段と、を有し、
前記第１の表示アイテムは、前記検出手段により検出されたタッチ位置に応じて移動可能であり、
前記第１の表示アイテムが前記第２の表示アイテムと重なる位置へ移動した場合に、前記撮影制御手段は、前記撮像手段による撮影動作を実行させるように制御することを特徴とする撮影制御装置。
【請求項２】
撮像手段による画像の撮影を制御する撮影制御装置であって、
第１の表示アイテムと、第２の表示アイテムとを表示手段の表示画面に表示させる表示制御手段と、
前記表示画面へのタッチ操作を検出する検出手段と、
前記第１の表示アイテムへのタッチが検出されたことに応じて、撮影に関する特定の撮影設定の調整を行う撮影準備動作を前記撮像手段に実行させるための制御を行う撮影準備制御手段と、
前記第２の表示アイテムへのタッチが検出されたことに応じて、画像の撮影および撮影した画像の記録を行う撮影動作を前記撮像手段に実行させるための制御を行う撮影制御手段と、を有し、
前記撮像手段は、前記撮影制御装置とは異なる、外部の撮像装置であり、
前記撮影準備制御手段は、前記第１の表示アイテムへのタッチが検出されたことに応じて、前記撮影準備動作を前記撮像装置に実行させるための撮影準備命令を前記撮像装置に送信し、
前記撮影制御手段は、前記第２の表示アイテムへのタッチが検出されたことに応じて、前記撮影動作を前記撮像装置に実行させるための撮影命令を前記撮像装置に送信することを特徴とする撮影制御装置。
【請求項３】
撮像手段による画像の撮影を制御する撮影制御装置であって、
第１の表示アイテムと、第２の表示アイテムとを表示手段の表示画面に表示させる表示制御手段と、
前記表示画面へのタッチ操作を検出する検出手段と、
前記第１の表示アイテムへのタッチが検出されたことに応じて、撮影に関する特定の撮影設定の調整を行う撮影準備動作を前記撮像手段に実行させるための制御を行う撮影準備制御手段と、
前記第２の表示アイテムへのタッチが検出されたことに応じて、画像の撮影および撮影した画像の記録を行う撮影動作を前記撮像手段に実行させるための制御を行う撮影制御手段と、
前記第１の表示アイテムおよび前記第２の表示アイテムへのタッチ操作により、前記撮影準備動作および前記撮影動作の指示を行う第１の表示モードと、前記第１の表示アイテムおよび前記第２の表示アイテムとは異なる表示アイテムへのタッチ操作により、前記撮影準備動作および前記撮影動作の指示を行う第２の表示モードとを切替える切替え手段と、
を有することを特徴とする撮影制御装置。
【請求項４】
前記撮影制御手段は、前記第２の表示アイテムがタッチされている間、前記撮像手段が連続して撮影動作を実行するように制御することを特徴とする請求項１ないし３のいずれか１項に記載の撮影制御装置。
【請求項５】
前記撮像手段を有することを特徴とする請求項１または３に記載の撮影制御装置。
【請求項６】
前記第２の表示アイテムは、前記検出手段により検出されたタッチ位置に応じて移動可能であり、
前記第２の表示アイテムが所定の位置に移動した場合は、前記第２の表示アイテムへのタッチが離されたとしても、前記撮影制御手段は、前記撮像手段が連続して撮影動作を実行するように制御することを特徴とする請求項１ないし５のいずれか１項に記載の撮影制御装置。
【請求項７】
前記撮像手段からライブビュー画像を周期的に取得するライブビュー取得手段を有し、
前記表示制御手段は、前記取得手段により取得したライブビュー画像を前記表示画面に表示させることを特徴とする請求項１ないし５のいずれか１項に記載の撮影制御装置。
【請求項８】
前記第１の表示アイテムおよび前記第２の表示アイテムへのタッチ操作により、前記撮影準備動作および前記撮影動作の指示を行う第１の表示モードと、前記ライブビュー画像へのタッチ操作により、前記撮影準備動作および前記撮影動作の指示を行う第３の表示モードとを有し、
前記第１の表示モードと前記第３の表示モードとを切替える切替え手段を有することを特徴とする請求項７に記載の撮影制御装置。
【請求項９】
前記ライブビュー画像の表示領域を拡大する拡大表示手段を有し、
前記拡大表示手段によりライブビュー画像の表示領域を拡大した場合、前記表示制御手段は、前記第１の表示アイテムおよび前記第２の表示アイテムの表示位置を変更することを特徴とする請求項７または８に記載の撮影制御装置。
【請求項１０】
撮影に関する特定の撮影設定の調整を行う撮影準備動作、および、画像の撮影および撮影した画像の記録を行う撮影動作を実行可能な撮像装置の制御方法であって、
第１の表示アイテムと、第２の表示アイテムとを表示手段の表示画面に表示させる表示工程と、
前記表示画面へのタッチ操作を検出する検出工程と、
前記第１の表示アイテムへのタッチ操作が検出されたことに応じて、前記撮影準備動作を実行させるための制御を行う撮影準備制御工程と、
前記第２の表示アイテムへのタッチ操作が検出されたことに応じて、前記撮影動作を実行させるための制御を行う撮影制御工程と、を有し、
前記第１の表示アイテムは、前記検出工程で検出されたタッチ位置に応じて移動可能であり、
前記第１の表示アイテムが前記第２の表示アイテムと重なる位置に移動した場合に、前記撮影動作を実行させるように制御する制御工程を有することを特徴とする撮像装置の制御方法。
【請求項１１】
撮影に関する特定の撮影設定の調整を行う撮影準備動作、および、画像の撮影および撮影した画像の記録を行う撮影動作を実行可能な撮像装置の制御方法であって、
第１の表示アイテムと、第２の表示アイテムとを表示手段の表示画面に表示させる表示工程と、
前記表示画面へのタッチ操作を検出する検出工程と、
前記第１の表示アイテムへのタッチ操作が検出されたことに応じて、前記撮影準備動作を実行させるための制御を行う撮影準備制御工程と、
前記第２の表示アイテムへのタッチ操作が検出されたことに応じて、前記撮影動作を実行させるための制御を行う撮影制御工程と、
前記第１の表示アイテムおよび前記第２の表示アイテムへのタッチ操作により、前記撮影準備動作および前記撮影動作の指示を行う第１の表示モードと、前記第１の表示アイテムおよび前記第２の表示アイテムとは異なる表示アイテムへのタッチ操作により、前記撮影準備動作および前記撮影動作の指示を行う第２の表示モードとを切替える切替え工程と、
を有することを特徴とする撮像装置の制御方法。
【請求項１２】
請求項１０またはし１１に記載の撮像装置の制御方法をコンピュータに実行させるためのプログラム。
【請求項１３】
請求項１２に記載のプログラムが格納されたコンピュータが読み取り可能な記憶媒体。
【発明の詳細な説明】
【技術分野】
【０００１】
本発明は、操作部への操作に応じて撮像手段により画像を撮像するための撮影制御装置および撮像装置の制御方法に関する。
【背景技術】
【０００２】
デジタルカメラのような撮像装置の背面の表示画面に表示されるライブビュー表示を、コンピュータのタッチパネルインターフェースを有した表示画面に拡大表示し、遠隔制御で撮影するリモート撮影手法を用いて撮影を行う場合がある。リモート撮影においては、表示画面に表示された撮影ボタンまたは撮影エリアへの撮影者によるタッチ操作を受け、コンピュータからレリーズ命令をカメラに通信し撮影をおこなう。
【０００３】
従来、一般的にカメラと言われる撮像装置では、押しボタン式のレリーズスイッチが設けられており、そのレリーズスイッチは押されていない状態と、押しボタンを可動端まで押しこむ全押し状態と、その中間の半押し状態とを有する。レリーズスイッチの半押し状態（以降、ＳＷ１と記載する）では、オートフォーカス合わせや自動露出制御や自動ホワイトバランス調整といった撮影準備動作を行う。さらにレリーズスイッチを押しこみ全押し状態（以降、ＳＷ２を記載する）にすると、実際の撮影動作が行われる。
【０００４】
さらに近年では、被写体を液晶パネル画面に表示して確認しながら撮影できるデジタルカメラにおいては、液晶表示画面にタッチパネルディスプレイを使用している場合がある。そのようなデジタルカメラでは、タッチパネルへの接触によりＳＷ１での撮影準備動作を行い、タッチパネルからの接触がなくなった状態でＳＷ２での撮影動作を実行することで、タッチパネルにおいてＳＷ１、ＳＷ２の操作を実現可能としている（特許文献１参照）。
【先行技術文献】
【特許文献】
【０００５】
【特許文献１】特開２０１１−１９３２４９
【発明の概要】
【発明が解決しようとする課題】
【０００６】
上述のように、従来でもタッチパネルを使ったレリーズスイッチＳＷ１，ＳＷ２を再現する方法はあるが、いずれの従来技術でも課題が残っており、そのための対策が求められている。
【０００７】
タッチパネルへの接触開始でＳＷ１状態、タッチパネルからの接触がなくなった状態で全押しＳＷ２状態を実現する例では、ＳＷ１操作のみを行って、撮影準備動作の指示のみを行うことが困難である。また、ＳＷ２のみを操作を行うことや、ＳＷ２状態を維持し連続撮影やバルブ撮影などの撮影命令のみを実現することは困難である。
【０００８】
そこで本発明では、タッチ操作で撮影準備動作指示と撮影指示とを行う場合に、撮影準備動作指示と撮影指示とを個別に指示可能であり、また、両方の指示を連続して行う場合でも手振れが発生し難く、かつ、操作性を向上させることを目的とする。
【課題を解決するための手段】
【０００９】
上述の課題を解決するため、本発明の撮影制御装置は、
撮像手段による画像の撮影を制御する撮影制御装置であって、第１の表示アイテムと、第２の表示アイテムとを表示手段の表示画面に表示させる表示制御手段と、表示画面へのタッチ操作を検出する検出手段と、第１の表示アイテムへのタッチが検出されたことに応じて、撮影に関する特定の撮影設定の調整を行う撮影準備動作を撮像手段に実行させるための制御を行う撮影準備制御手段と、第２の表示アイテムへのタッチが検出されたことに応じて、画像の撮影および撮影した画像の記録を行う撮影動作を撮像手段に実行させるための制御を行う撮影制御手段と、を有し、第１の表示アイテムは、検出手段により検出されたタッチ位置に応じて移動可能であり、第１の表示アイテムが第２の表示アイテムと重なる位置へ移動した場合に、撮影制御手段は、撮像手段による撮影動作を実行させるように制御することを特徴とする。
または、本発明の撮影制御装置は、
撮像手段による画像の撮影を制御する撮影制御装置であって、第１の表示アイテムと、第２の表示アイテムとを表示手段の表示画面に表示させる表示制御手段と、表示画面へのタッチ操作を検出する検出手段と、第１の表示アイテムへのタッチが検出されたことに応じて、撮影に関する特定の撮影設定の調整を行う撮影準備動作を撮像手段に実行させるための制御を行う撮影準備制御手段と、第２の表示アイテムへのタッチが検出されたことに応じて、画像の撮影および撮影した画像の記録を行う撮影動作を撮像手段に実行させるための制御を行う撮影制御手段と、を有し、撮像手段は、撮影制御装置とは異なる、外部の撮像装置であり、撮影準備制御手段は、第１の表示アイテムへのタッチが検出されたことに応じて、撮影準備動作を撮像装置に実行させるための撮影準備命令を撮像装置に送信し、撮影制御手段は、第２の表示アイテムへのタッチが検出されたことに応じて、撮影動作を撮像装置に実行させるための撮影命令を撮像装置に送信することを特徴とする。
または、本発明の撮影制御装置は、
撮像手段による画像の撮影を制御する撮影制御装置であって、第１の表示アイテムと、第２の表示アイテムとを表示手段の表示画面に表示させる表示制御手段と、表示画面へのタッチ操作を検出する検出手段と、第１の表示アイテムへのタッチが検出されたことに応じて、撮影に関する特定の撮影設定の調整を行う撮影準備動作を撮像手段に実行させるための制御を行う撮影準備制御手段と、第２の表示アイテムへのタッチが検出されたことに応じて、画像の撮影および撮影した画像の記録を行う撮影動作を撮像手段に実行させるための制御を行う撮影制御手段と、第１の表示アイテムおよび第２の表示アイテムへのタッチ操作により、撮影準備動作および撮影動作の指示を行う第１の表示モードと、第１の表示アイテムおよび第２の表示アイテムとは異なる表示アイテムへのタッチ操作により、撮影準備動作および撮影動作の指示を行う第２の表示モードとを切替える切替え手段と、を有することを特徴とする。
【発明の効果】
【００１０】
本発明によれば、撮影準備動作指示と撮影指示とを個別に指示可能であり、また、両方の指示を連続して行う場合でも、手振れが発生し難く、かつ、操作性の良い操作で実現可能な装置を提供することが可能となる。
【図面の簡単な説明】
【００１１】
【図１】本発明に係る撮像装置２の実施の形態を示すシステム構成図である。
【図２】本発明に係る撮像装置２の構成を示すブロック構成図である。
【図３】本発明に係る表示制御装置１００の構成を示すブロック構成図である。
【図４】表示制御装置１００における表示例を示す図である。
【図５】表示制御装置１００における表示例を示す図である。
【図６】実施例１に係るリモート撮影の制御手順を示すフローチャートである。
【図７】実施例２に係るリモート撮影の制御手順を示すフローチャートである。
【図８】表示制御装置１００における表示例を示す図である。
【発明を実施するための形態】
【００１２】
以下に、本発明の好ましい実施の形態を、添付の図面に基づいて詳細に説明する。
【００１３】
図１は、本発明の実施形態にかかわるリモート撮影システム構成図である。
【００１４】
（実施例１）
以下に、本発明の実施の形態を示す実施例１を表す。
【００１５】
図１に交換レンズ式の撮像装置２の概略図を示す。
【００１６】
交換可能なレンズ１は、一般的に、焦点距離を可変するためのズームレンズ１１、明るさを制御するための絞り機構１２、被写体にピントを合わせるためのフォーカスレンズ１３を有している。また、この交換式レンズ１は、レンズ側のマウント１４が撮像装置２のマウント部２７と機械的に接合することができる様になっている。撮像装置２は、レンズを通過してきた光を２１のハーフミラーで反射させ、ピント板２４の位置で結像させる。ピント板２４で結像した光は、プリズム２５で反転され、接眼レンズ２６を通して正立像として観測できる。
【００１７】
また、撮影時には、ハーフミラー２１が跳ね上がり、シャッター２２が開き、レンズ１を通過してきた光が、撮像素子２３に結像する。
【００１８】
交換可能なレンズ１のマウント部１４には、接点群１５が組み込まれている。この接点群１５は、撮像装置２本体から、電源を供給し、通信を行うための接点（不図示）である。接点群１５としては、電源、グランド、送信、受信、クロックなどの用途にそれぞれ分かれている。
【００１９】
この交換可能なレンズ１のマウント部１４は、撮像装置２のマウント部２７と接合することによって、マウント部１４にある接点群１５とマウント部２７にある接点群２８の中の接続端子が各々つながる。
【００２０】
その結果、接続端子を経由して撮像装置２から、交換可能なレンズ１に電源が供給され、交換可能なレンズ１と撮像装置２の間で通信が開始される。
【００２１】
また、４２は通信インターフェースであり、図１では、撮像装置２と表示制御装置１０とが通信インターフェース４２を介して接続される。
【００２２】
次に、図２に撮像装置２の内部のブロック構成について示す。
【００２３】
撮像素子２３は、ＣＣＤやＣＭＯＳのようなセンサーであり、レンズ１を介して撮像素子２３に結像した光は、撮像素子２３内の各画素において，入射光量に応じた量の電荷に変換される。タイミングジェネレータ３２が発生させる信号は、撮像素子２３を駆動し、センサーに蓄積した電荷を伝送し、順次電圧信号に変換される。変換された電圧信号は、相関二重サンプリング３０（以下ＣＤＳと呼ぶ）でサンプリングされ，Ａ／Ｄ変換器３１でデジタル信号に変換される。デジタル信号に変換された画像データは、ＩＣ３３に入力され、まず、データに対してホワイトバランスのためのパラメータを算出するためのＷＢ回路３３ａに入り、３５のメモリ１にいったん格納され、必要に応じてデータの処理が実行される。
【００２４】
ライブビュー表示時には、ハーフミラー２１が跳ね上げ、シャッター２２を開き、レンズ１を通過してきた光が、撮像素子２３に結像する。撮影された画像データを３７のメモリ２に保存し、ＶＲＡＭ４０へライブビュー画像を書き込み、ディスプレイ制御用のビデオＩＣ４１により、撮像装置２に設置される背面ディスプレイ４３へライブビュー表示を行う。ライブビュー表示は撮影された画像を一定間隔で更新し、光学ファインダーを通して行う撮影対象の確認を代替する。ユーザは、このライブビューを背面ディスプレイ４３で確認し、所望のタイミングでレリーズボタン４０を操作することにより、撮影行うことができる。
【００２５】
ＣＰＵ３６につながるスイッチ４０は、レリーズスイッチである。レリーズスイッチは押されていない状態と、押しボタンを可動端まで押しこむ全押し状態（ＳＷ２）と、その中間の半押し状態（ＳＷ１）とを有する。レリーズスイッチがＳＷ１の状態となると、ＣＰＵ３６から撮影準備処理の開始命令すなわち撮影準備命令が出力され、オートフォーカス合わせや自動露出制御や自動ホワイトバランス等の撮影設定の調整といった撮影準備動作が実行される。つまり、ＷＢ回路３３ａによってホワイトバランス調整のためのパラメータの算出を行ったり、ＣＰＵ３６またはＩＣ３３において、自動フォーカス合わせや自動露出合わせのための演算や撮影準備制御を行う。そして、その演算結果に合わせて、画像処理回路３３ｂでのデータの処理やレンズ１を調整することで、自動フォーカス合わせや自動露出合わせ等の撮影準備処理を実行する。ＳＷ１で撮影準備動作を行った後、さらにレリーズスイッチがＳＷ２の状態に操作されると、ＣＰＵ３６は撮影動作の開始命令を出力して撮影制御を行い、後述の撮影動作が実行され、外部メモリ３９に画像が書き込まれる。連写撮影モードが設定されている場合は、レリーズスイッチがＳＷ２の状態の場合、撮影動作は、レリーズスイッチは押されていない状態、または、ＳＷ１の状態になるまで、繰り返し行われる。つまり、レリーズスイッチがＳＷ２の状態が続く限り、連写撮影が行われ、連続して複数の画像が撮影される。レリーズスイッチがＳＷ２の状態から、それ以外、つまり、ＳＷ１または押されていない状態に変化すると、ＣＰＵ３６は撮影停止命令を出力し、連写撮影動作が終了する。
【００２６】
撮影動作時には、３５のメモリ１に格納されたデータは、再びＩＣ３３に入力され、以下のような３つの画像処理を施される。まず、デジタル信号に変換された画像データは、そのままロスレス圧縮（可逆圧縮）をかけるロスレス圧縮回路３３ｄにおいてロスレス圧縮されたＲＡＷデータに変換されＣＰＵバス３４に送り出される。また、デジタル信号に変換された画像データはＣＰＵバス３４に送られる。最後に、ｊｐｅｇ圧縮するための画像を作るために、画像処理回路３３ｂにおいて画像処理を施され、その結果出力されるＹｃｂＣｒは、ラスタブロック変換されて、ｊｐｅｇ圧縮回路３３ｅでｊｐｅｇ圧縮をされて、ＣＰＵバス３４に送られる。ＣＰＵ３６は、撮影された画像データでＣＰＵバス３４に出力された画像データを一度３５のメモリ１に格納し、インターフェース回路３８を介して外部メモリ３９に最終的に書き込む。
【００２７】
ＣＰＵ３６は、電源が投入された直後には、３７のメモリの内部のプログラムに従い、撮像装置２を初期化し、交換レンズと通信を行う。ＣＰＵ３６は、３７のメモリ２から読み出したプログラムに従って、撮像装置２の各ブロックを制御し、各処理を実行する。後述するフローについても、読み台したプログラムに基づいてＣＰＵ３６が各ブロックの動作を制御することにより実現される。
【００２８】
４２は通信インターフェースであり、図１では、撮像装置２と表示制御装置１０とが通信インターフェース４２を介して接続され、通信インターフェース４２を介して画像データ等の各種データやコマンド（命令信号）等の送受信を行う。撮像装置２は、ＳＷ２に応じてＣＰＵ３６から出力される撮影動作の開始命令に応じて撮影動作を実行するだけでなく、通信インターフェース４２を介して表示制御装置１００から受信した撮影動作の開始命令に応答して撮影動作を実行するように構成されている。また、撮影準備動作も同様に、表示制御装置から撮影準備動作の開始命令を受信したことに応じて、撮影準備動作を実行するように構成されている。このような構成により、撮影装置２以外の外部装置から撮影の指示を行うリモート撮影を行うことが可能である。また、外部の表示制御装置を用いてリモート撮影を行う場合、ライブビュー画像を周期的に通信Ｉ／Ｆ４２を介して表示制御装置に送信し、表示制御装置側でライブビュー画像を確認しながら撮影操作を行うことを可能とするように構成するとよい。
【００２９】
図３に、本発明を適用可能な表示制御装置１００の構成の一例を示す。表示制御装置１００は、パーソナルコンピュータまたはスマートフォン（以下、ＰＣ）等で構成される。
【００３０】
図３において、内部バス１５０に対してＣＰＵ１０１、メモリ１０２、不揮発性メモリ１０３、画像処理部１０４、ディスプレイ１０５、操作部１０６、記録媒体Ｉ／Ｆ１０７、通信Ｉ／Ｆ１０９が接続されている。内部バス１５０に接続される各部は、内部バス１５０を介して互いにデータのやりとりを行うことができるようにされている。
【００３１】
メモリ１０２は、例えばＲＡＭ（半導体素子を利用した揮発性のメモリなど）からなる。ＣＰＵ１０１は、例えば不揮発性メモリ１０３に格納されるプログラムに従い、メモリ１０２をワークメモリとして用いて、表示制御装置１００の各部を制御する。後述の処理は、不揮発性１０３メモリから読み出したプログラムに基づいてＣＰＵ１０１が各部を制御することにより実現される。不揮発性メモリ１０３には、画像データや音声データ、その他のデータ、ＣＰＵ１０１が動作するための各種プログラムなどが格納される。不揮発性メモリ１０３は例えばハードディスク（ＨＤ）やＲＯＭなどで構成される。
【００３２】
画像処理部１０４は、ＣＰＵ１０１の制御に基づいて、不揮発性メモリ１０３や記録媒体１０８に格納された画像データや、通信Ｉ／Ｆ１１０を介して取得した画像データなどに対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理などが含まれる。画像処理部１０４は特定の画像処理を施すための専用の回路ブロックで構成しても良い。また、画像処理の種別によっては画像処理部１０４を用いずにＣＰＵ１０１がプログラムに従って画像処理を施すことも可能である。
【００３３】
ディスプレイ１０５は、ＣＰＵ１０１の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。ＣＰＵ１０１は、プログラムに従い表示制御信号を生成し、ディスプレイ１０５に表示するための映像信号を生成してディスプレイ１０５に出力するように表示制御装置１００の各部を制御する。ディスプレイ１０５は出力された映像信号に基づいて映像を表示する。なお、表示制御装置１００自体が備える構成としてはディスプレイ１０５に表示させるための映像信号を出力するためのインターフェースまでとし、ディスプレイ１０５は外付けのモニタ（テレビなど）で構成してもよい。
【００３４】
操作部１０６は、キーボードなどの文字情報入力デバイスや、マウスやタッチパネルといったポインティングデバイス、ボタン、ダイヤル、ジョイスティック、タッチセンサー、タッチパッドなどを含む、ユーザ操作を受け付けるための入力デバイスである。なお、本実施形態では、ディスプレイ１０５にタッチパネルが重ね合わせて平面的に構成され、しスプレイ１０５の表示画面上で接触された位置に応じた座標情報がタッチパネルから出力される。
【００３５】
記憶媒体Ｉ／Ｆ１０７は、メモリカードやＣＤ、ＤＶＤといった記録媒体１０８が装着可能とされ、ＣＰＵ１０１の制御に基づき、装着された記録媒体１０８からのデータの読み出しや、当該記録媒体１０８に対するデータの書き込みを行う。通信Ｉ／Ｆ１０９は、外部機器またはインターネットに、有線ケーブルや無線によって接続し、画像データや音声信号、ファイルやコマンドなどの各種データの送受信を行うためのインターフェースである。本実施形態では、通信Ｉ／Ｆ１０９を介してライブビュー画像等の画像データを接続されている撮像装置２から受信し、や撮影開始命令、撮影準備開始命令、撮影停止命令などのコマンド等を撮像装置に送信する。
【００３６】
タッチパネルで構成される操作部１０６は、ＣＰＵ１０１はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バス１５０を通じてＣＰＵ１０１に通知され、ＣＰＵ１０１は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサー方式等、様々な方式のタッチパネルのうちいずれの方式のものを用いても良い。
【００３７】
次に、図４〜６を参照して本発明の外部インターフェース３８を介して図１中の表示制御装置１００と撮像装置２とを接続したリモート撮影システムにおけるリモート撮像制御の方法を説明する。
【００３８】
ライブビュー表示画面の表示は、表示制御装置のディスプレイ１０５である、タッチパネルディスプレイ５１に表示する。前に説明したように、撮像装置２から周期的に撮像したライブビュー取得して、受信した画像をタッチパネルディスプレイ５１に表示する。
【００３９】
図４（ａ）は、リモート撮影時の、表示制御装置１００のタッチパネルディスプレイ５１の操作・表示画面３１０の表示例である。表示制御装置１００と接続されている撮像装置２がライブビューを開始すると、撮像装置２からライブビュー画像が表示制御装置１００へ送信される。そして表示制御装置１００の操作・表示画面３１０に設置されるライブビュー表示画面３１１に、撮像装置２から取得したライブビュー画像が表示される（リモートライブビュー）。操作・表示画面３１０への表示は、ＣＰＵ３６が、通信Ｉ／Ｆ１０９を介して受信したライブビュー画像や不揮発性メモリ１０３に記憶されているデータに基づいて表示制御を行うことにより実現される。
【００４０】
操作・表示画面３１０には、撮影命令を指示するための操作部として、ＳＷ２を指示するための操作アイコン３１３（以下ＳＷ２ボタン３１３）とＳＷ１を指示するための操作アイコン３１４（以下ＳＷ１ボタン３１４）とをそれぞれ表示する。ＳＷ１ボタン３１４並びにＳＷ２ボタン３１３は、撮影者がアイコンの表示領域内に触れると、ボタンを押しこんだ表示に変更され、撮影者は機械式ボタンと同様に押したことを認識できるようになっている。
【００４１】
また、ＳＷ１ボタン３１４とＳＷ２ボタン３１３の配置位置は、片手操作でＳＷ１操作およびＳＷ２操作ができるように、例えば親指の可動領域の範囲に収まるように配置する。また、ＳＷ１ボタン３１４は、ＳＷ２ボタン３１３から離れた位置に配置されているが、ＳＷ２ボタン３１３側へスライドできるように構成されている。図４（ａ）に示したように、ＳＷ１ボタン３１４のスライド方向を示すガイドライン３１５を表示することにより、ＳＷ１ボタン３１４がスライド可能であることを明示するとよい。
【００４２】
操作アイコン３１２（以下、拡大／縮小ボタン３１２）は、ライブビュー表示画面３１１の表示領域を拡大および縮小表示を切り替えるための操作部材である。図４（ａ）に示したようなライブビュー画面３１１の表示の状態で、拡大／縮小ボタン３１２を操作すると、図４（ｂ）に示したようなライブビュー画面が拡大した拡大表示となる。ライブビュー画面の拡大にあわせて、ＳＷ２ボタン３１３、ＳＷ１ボタン３１４の配置が変更する。つまり、図４（ａ）では、ＳＷ２ボタンとＳＷ１ボタンが図の縦方向に並び、ＳＷ１は縦方向にスライド可能であったが、図４（ｂ）では、ＳＷ２ボタンとＳＷ１ボタンが図の横方向に並び、ＳＷ１は横方向にスライド可能となる。これは、ライブビュー表示画面３１１とＳＷ２ボタン３１３とＳＷ１ボタン３１４が同じ方向（図の縦方向）に並んで配置されている場合は、ライブビュー表示画面３１１をＳＷ２ボタン３１３とＳＷ１ボタン３１４が並んでいる縦方向に拡大することにより、ＳＷ２ボタン３１３とＳＷ１ボタン３１４の表示領域が狭まってしまう。そこで、ＳＷ２ボタン３１３とＳＷ１ボタン３１４とを９０度回転し、横方向に並ぶように変更することにより、ＳＷ２ボタンとＳＷ１の表示のために必要とする縦方向の領域が減少される。そのため、ＳＷ２ボタン３１３とＳＷ１ボタン３１４とライブビュー表示画面３１１を重ねて表示することなく、ライブビュー表示画面３１１を十分に拡大することができる。ここで、ライブビュー表示画面３１１とＳＷ２ボタン３１３とＳＷ１ボタン３１４が横方向に並んで配置されているときにライブビュー表示画面３１１を横方向に拡大する場合も同様に、ＳＷ２ボタン３１３とＳＷ１ボタン３１４を９０度回転させて表示するとよい。
【００４３】
表示制御装置１００（ＣＰＵ１０１）は、撮影者によりＳＷ２ボタン３１３の位置がタッチ（接触）されたことを検出されると、撮像装置２へ撮影開始命令を送信する。その後、ＳＷ２ボタン３１３から接触が離れたことを検出すると、撮像装置２へ撮影停止命令を送信する。また、ＳＷ１ボタン３１４の位置がタッチされたことを検出されると、撮像装置２へ撮影準備開始命令を送信し、ＳＷ１ボタン３１４から接触が離れたことを検出すると、撮像装置２へ撮影準備停止命令を送信する。さらに、ＳＷ１ボタン３１４については、ＳＷ１ボタン３１４がタッチされた後に、ＳＷ１ボタン３１４をＳＷ２ボタン３１３の方向へスライドして移動可能である。そこで、ＳＷ１ボタン３１４がタッチされた後には、タッチ位置の移動を検出し、タッチ位置に応じてＳＷ１ボタン３１４の表示位置を変更する。ここで、ＳＷ１ボタン３１４の表示位置がタッチされた後に、タッチ位置の移動が、ＳＷ１ボタン３１４がスライド可能な方向とは異なる方向に移動された場合は、ＣＰＵ１０１は、ＳＷ１ボタン３１４へのタッチが離されたと判断する。ＳＷ１ボタン３１４の位置が撮影者のタッチ操作によって移動され、ＳＷ１ボタン３１４がＳＷ２ボタン３１３に重なったことを検出した場合は、撮像装置２へ撮影開始命令を送信する。
【００４４】
以上のように、ＳＷ１ボタン３１４をスライドさせてＳＷ２ボタン３１３へスライドさせて撮影命令を行う一連の動作は、図５（ａ）に示すような、表示制御装置１００を片手で持つことが想定されている。また、親指でＳＷ１ボタン３１４に触れて撮影準備操作を行い、撮影準備が整ったらＳＷ１ボタンに触れたまま、ＳＷ２ボタン３１３に向かって親指をスライドさせてＳＷ２ボタン３１３にＳＷ１ボタン３１４を重ね合わせるようにして撮影命令を行うことが想定されている。
【００４５】
本実施例では片手での操作を示したが、ＳＷ１ボタン３１４、ＳＷ２ボタン３１３は独立した機能を有しているため、両手による操作でも、２本指を用いた操作でも撮影準備操作および、撮影操作を行なってもよい。
【００４６】
図６は本実施例のリモート撮影における表示制御装置１００のレリーズ制御のフローチャートである。これらの処理は、ＣＰＵ１０１が、不揮発メモリ１０３から読み出したプログラムに基づいて、図３の各部の制御や演算、データ処理等を行うことにより実現される。
【００４７】
表示制御装置１００は、撮像装置２と、インターフェース３８を介して接続される。表示制御装置１００は、撮像装置２と通信を行い、撮像装置２の内部の撮影設定や現在の状態などの情報を得ることができる。
【００４８】
ステップＳ１０１では、表示制御装置１００の電源ボタン（不図示）が操作されて、電源ＯＮとなり、表示制御装置１００の各部に通電され動作可能な状態となる。
【００４９】
ステップＳ１０２では、表示制御装置１００は、通信Ｉ／Ｆ１０９を介して接続される撮像装置２との通信を開始し、お互いの装置の情報を送受信する。特に、リモート撮影では、表示制御装置側で撮影の指示を行うため、ステップＳ１０２では、表示制御装置１００は、撮像装置２から現在の設定情報を受信する。ここで、設定情報とは、撮影モードの設定状態やホワイトバランスの設定情報等の撮影設定情報や、ライブビュー状態などの情報である。撮像装置２の設定情報は、撮像装置２を撮影者が操作することにより設定変更された場合、または、表示制御装置１００を操作することにより、撮像装置２の設定変更を行った場合に、撮像装置２から表示制御装置１００へ更新通知される。
【００５０】
ステップＳ１０３では、表示制御装置１００は、リモートライブビューの開始を撮像装置２へ通知し、撮像装置２はライブビューを開始する。撮像装置２に、リモートライブビューの開始を通知すると、撮像装置２から表示制御装置１００に周期的にライブビュー画像が送信される。
【００５１】
ステップＳ１０４では、表示制御装置１００は、撮像装置２から取得したライブビュー画像を、タッチパネルディスプレイ５１のライブビュー表示画面３１１に表示し、周期的に受信するライブビュー画像に合わせて、ライブビュー表示を更新する。
【００５２】
ステップＳ１０５では、表示制御装置１００のＣＰＵ１０１は、タッチパネルディスプレイ５１に表示されるＳＷ１ボタン３１４がタッチされたか否かを判定し、ＳＷ１ボタン３１４がタッチされたことを判定した場合ステップＳ１０６へ進む。ＳＷ１ボタン３１４がタッチされていない場合は、ステップＳ１１０へ進む。
【００５３】
ステップＳ１０５でＳＷ１ボタン３１４がタッチされたことを検出すると、撮像装置２に撮影準備処理を実行させるために、ステップＳ１０６において、通信Ｉ／Ｆ１０９を介して、撮像装置２へ撮影準備開始命令を送信し、撮像装置に行い撮影準備を実行させる。その後、ステップＳ１０７へ進む。ステップＳ１０７では、ＳＷ１ボタン３１４がタッチされた状態でタッチ位置が移動され、ＳＷ１ボタンをスライドさせるタッチ操作がなされか否かを判定する。ＳＷ１のスライド操作がなされたと判定された場合、ステップＳ１０８へ進み、ＳＷ１ボタンとＳＷ２ボタンが重なる位置までスライド操作が行われ、スライドされたＳＷ１ボタン３１４がＳＷボタン３１３と重なったか否かを判定する。ステップＳ１０７でスライド操作していないと判断された場合、また、ステップＳ１０８で、ＳＷ１ボタンとＳＷ２ボタンが重なっていないと判定された場合は、ステップＳ１１０へ進む。
【００５４】
ステップＳ１０８で、ＳＷ１ボタンとＳＷ２ボタンが重なったと判定された場合、ステップＳ１０９において、ＳＷ２ボタンと重なる位置までスライド操作されたＳＷ１ボタン３１４を元の表示位置へ戻す。そして、ステップＳ１１１において、撮像装置２へ撮影開始命令を送信する。つまり、撮影者がＳＷ１ボタンをタッチし、その後ＳＷ２に重なるようにＳＷ１をスライドさせるように操作すると、撮像装置２により撮影動作が実行されるようになる。
【００５５】
ここで、Ｓ１０８において、ＳＷ１ボタンとＳＷ２ボタンとが重なる位置までＳＷ１がスライドしたかを判定する方法については、ＳＷ１ボタンの表示位置およびＳＷ２ボタンの表示位置とを比較して行えばよい。あるいは、ＳＷ１ボタンをスライド操作するために検出されたタッチ位置と、予め決められているＳＷ２の表示位置とを比較することにより、ＳＷ１ボタンとＳＷ２ボタンとが重なったかの判定を行ってもよい。また、ＳＷ１ボタンがスライド操作された場合に、ＳＷ１ボタンとＳＷ２ボタンとが重なる場合のタッチ位置を予め決定して不揮発メモリ１０３に記録しておき、検出したタッチ位置が、予め決められた位置になった場合に、重なっていると判定してもよい。この場合、予め重なる場合のタッチ座標を閾値として記録しておき、ＳＷ１のスライド操作のときに検出されたタッチ座標が、閾値を超えたときに、ＳＷ１ボタンとＳＷ２ボタンが重なっているとみなして、撮影開始命令を送信するようにするとよい。
【００５６】
また、どのような状態が、ＳＷ１ボタンとＳＷ２ボタンとが重なった状態であるかについては、ボタンの表示領域の一部が重なった状態をＳＷ１ボタンとＳＷ２ボタンとが重なったと定義してもよい。また、ボタン表示そのものの重なりではなく、ＣＰＵ１０１においてボタンの表示領域と定義される領域が、他方のボタンの表示領域と定義される領域内に含まれた状態をＳＷ１ボタンとＳＷ２ボタンとが重なったと定義してもよい。
【００５７】
ステップＳ１１０において、ＣＰＵ１０１は、タッチパネルディスプレイ５１に表示されるＳＷ２ボタン３１３がタッチされたか否かを判定する。ステップＳ１００においてタッチされたと判定された場合、ステップＳ１１１において、通信Ｉ／Ｆ１０９により、撮像装置２に撮影開始命令を送信する。スステップＳ１１２では、ＳＷ２ボタン３１３へのタッチが離されたか否かを判定する。タッチが離された場合には、ステップＳ１１３において、撮影停止命令を撮像装置２に送信する。つまり、ＳＷ２ボタンがタッチされている間は、撮像装置２において連続的に撮影動作が行われる。
【００５８】
ステップＳ１１５では、ＣＰＵ１０１は、タッチパネルディスプレイ５１に表示されるＳＷ１ボタン３１４へのタッチが離されたか否かを判定する。ＳＷ１ボタンへのタッチが離されたと判定された場合は、ＳＷ１ステップＳ１１４において、撮影準備停止命令を撮像装置２へ送信する。つまり、ＳＷ１ボタンへのタッチが離されたことに応じて、撮像装置２での撮影準備動作が停止される。
【００５９】
リモート撮影中は、ステップＳ１０６〜ステップＳ１１５の処理が繰り返し行われる。
【００６０】
ステップＳ１１６では、操作・表示画面３０１閉じ撮像装置２へライブビューの終了を通知し、リモートライブビューを終了する。
【００６１】
ステップＳ１１７にて通信が切断された場合、ステップＳ１１８にて電源をＯＦＦし終了する。
【００６２】
このように、本実施例によると、ＳＷ１ボタンと、ＳＷ２ボタンを個別に設けて表示することにより、撮影準備操作の指示と撮影動作の指示とが個別で行えるようになる。さらに、ＳＷ１ボタンをスライド操作させてＳＷ２ボタンに重ねることにより撮影動作の指示が可能であるので、手振れが発生し難く、かつ、操作性の良い操作で撮影準備動作から撮影動作への指示が可能となる。
【００６３】
また、本実施例では、ＳＷ１ボタンとＳＷ２ボタンが重なった場合に、Ｓ１０９において、ＳＷ１ボタン３１４を元の表示位置へ戻し、撮影は１枚撮影しか行われない。しかし、Ｓ１０９のように、ＳＷ１ボタン３１４を元の表示位置へ戻さずに、ＳＷ１ボタンがＳＷ２ボタンはと重なっていると判定される間は、撮影装置２による撮影動作が継続され、連写撮影が行えるように構成してもよい。この場合、ＳＷ１ボタンとＳＷ２ボタンが重ならなくなったことを検出したことに応じて、撮影停止命令を撮像装置２に送信し、連続撮影の停止の指示を通知する。
【００６４】
（実施例２）
次に、本発明のリモート撮影における第２の実施例について説明する。本実施例は、実施例１とシステム構成、装置構成は同じである。また、実施例１で説明したものと同等の処理については、詳細な説明を省略して説明する。
【００６５】
実施例１では、ＳＷ２ボタン３１３の制御方法として、撮影者がＳＷ２ボタン３１３の操作を維持している間のみ撮像装置２への撮影命令を維持する。実施例２では、ＳＷ２ボタン３１３を押した状態を保持するロック機構を設け、バルブ撮影などの長時間レリーズを保持する場合において、撮影者が長時間操作状態を維持しなくとも、撮影が継続できるようにする。
【００６６】
図５（ｂ）は、実施例２で示すリモートレリーズ関連部材の構成図である。ＳＷ２ボタン３１３をロックし状態保持する領域（以下、ロックエリア）を、図５（ｂ）で示すような状態保持領域が撮影者に判別できるような表示形態で示す。撮影者はＳＷ２ボタン３１３をロックエリア３１６へスライドすることが可能であり、ＳＷ２ボタン３１３がロックエリア３１６へ重なった際に、図５（ｃ）で示したようなＳＷ２ボタン３１３が押しこまれた状態（ロック状態）となり、以後その状態を保持する。さらに、撮影者がＳＷ２ボタン３１３から指を離しても、撮像装置２へ撮影停止命令を送らず、撮影命令を維持する。ＳＷ２ボタン３１３がロック状態で、撮影者がＳＷ２ボタン３１３を押すなどの解除操作を行うと、撮像装置２へ撮影停止命令を送り、撮影を停止する。
【００６７】
図５は本実施例のリモートレリーズ制御フローチャートであり、実施例１で示したフローチャートと異なる部分（図６のＳ１０５〜Ｓ１１５に対応する部分）についてのみ示している。
【００６８】
ステップＳ２０１では、ＳＷ１ボタン３１４がタッチされたかを判定し、タッチされたことを判定した場合ステップＳ２０２へ進む。タッチされていなければステップＳ２０６へ進む。ステップＳ２０２では、撮像装置２へ撮影準備開始命令を送信し、ステップＳ２０３へ進む。
【００６９】
ステップＳ２０３では、ＳＷ１ボタン３１４のスライド操作がされたか否かを判定し、スライド操作されたと判定した場合ステップＳ２０４へ進み、スライド操作でない場合はステップＳ２０６へ進む。
【００７０】
ステップＳ２０４では、スライドしたＳＷ１ボタン３１４がＳＷボタン３１３と重なったか否かを判断し、重なっていなかった場合ステップＳ２０６へ進み、重なっていた場合ステップＳ２０５へ進む。ステップＳ２０５では、スライドしたＳＷ１ボタン３１４を元の表示位置へ戻し、ステップＳ２０７へ進む。
【００７１】
ステップＳ２０６では、ＳＷ２ボタン３１３がタッチされたか否かを判定し、タッチされたと判定した場合ステップＳ２０７へ進み、タッチされていない場合ステップＳ２１１へ進む。
【００７２】
ステップＳ２０７では、撮像装置２へ撮影開始命令を送信し、ステップＳ２０８に進む。
【００７３】
ステップＳ２０８では、ＳＷ２ボタン３１３のスライド操作がされたか否かを判定し、スライドされたと判定し場合ステップＳ２０９へ進み、スライド操作でない場合はステップＳ２１１へ進む。
【００７４】
ステップＳ２０９では、スライドされたＳＷ２ボタン３１３がロックエリア３１６と重なったか否かを判断し、重なっていないと判定された場合ステップＳ２１１へ進み、重なったと判定された場合ステップＳ２１０へ進む。
【００７５】
ステップＳ２１０では、スライドしたＳＷ２ボタン３１３をロックして撮影を維持し、ステップＳ２１１へ進む。
【００７６】
ステップＳ２１１では、ＳＷ２ボタン３１３がロック中であるか否かを判定し、ＳＷ２ボタン３１３がロック中であれば、ステップＳ２１２へ進み、ロック中でなければステップ２１５へ進む。
【００７７】
ステップＳ２１２では、ＳＷ２ボタンがロック位置ではない位置にスライド操作で移動され、ＳＷ２ボタン３１３のロックを解除したか否かを判定し、ロックが解除さたと判定された場合はステップＳ２１３へ進み、解除されていなければステップＳ２１７へ進む。
【００７８】
ステップＳ２１３では、ＳＷ２ボタン３１３を元の位置へ戻して表示させ、ステップＳ２１６へ進む。
【００７９】
ステップＳ２１５では、ＳＷ２ボタン３１３へのタッチが離されたか否かを判定し、離されたと判定された場合ステップＳ２１６へ進み、離されていない場合ステップＳ２１７へ進む。
【００８０】
ステップＳ２１６では撮像装置２へ撮影停止命令を送りステップＳ２１７へ進む。
【００８１】
ステップＳ２１７では、ＳＷ１ボタン３１４が離されたか否かを判定し、離されたと判定した場合ステップＳ２１８へ進み、離されていない場合ステップＳ２０１へ戻りユーザ操作（オペレーション）を判断する。
【００８２】
ステップＳ２１８では、撮像装置２へ撮影準備停止命令を送り、ステップＳ２０１へ戻りユーザ操作（オペレーション）を判断する。
【００８３】
（実施例３）
実施例１の表示制御装置１００では、図４のようなリモート撮影用の操作・表示画面を有していた。しかし、本実施例の表示制御装置１００では、複数の操作・表示画面を有している。撮影者が、操作・表示画面の表示モード切替え操作を行うことで、実施例１のような操作・表示画面（図４）と、図８のような撮影用表示画面を切替え可能とする。さらに、実施例２のような操作・表示画面も切替え可能に構成してもよい。
【００８４】
本実施例で適応するリモート撮影時の表示制御装置１００の表示画面について図８を参照して説明する。実施例１と同じ役割を有するものについては同じ符号を付して説明を省略する。
【００８５】
図８（ａ）は、本実施例での操作・表示画面であり、実施例１のＳＷ１ボタン３１４、ＳＷ２ボタン３１３の代わりに、レリーズボタン５１１のみが表示されている。
【００８６】
図８（ａ）の操作・表示画面では、レリーズボタン５１１へのタッチにより、撮影準備動作の指示が可能であり、レリーズボタン５１１へのタッチを離すことにより、撮影動作の指示が可能である。レリーズボタン５１１がタッチされたことをＣＰＵ１０１が検出すると撮影準備開始指示を撮像装置２送信し、レリーズボタン５１１へのタッチ離されたことを検出すると、撮影開始指示（１枚撮影）を撮像装置２に送信することにより実現する。
レリーズボタン５１１へのタッチにより、撮像装置２での撮影準備動作および撮影動作を一括して行うように構成してもよい。
【００８７】
通常、レリーズスイッチは１つである。そのため、図８（ａ）のほうが、撮影者にとって操作性がよい場合も考えられるため、本実施例では、このような操作・表示画面を用意し、ユーザの設定により切替え可能とする。
【００８８】
また、図８（ｂ）のように操作。表示画面を構成してもよい。図８（ｂ）では、ライブビュー表示画面３１１をタッチすることにより、タッチした位置に対応する位置に合わせて撮影準備動作を行うように指示することができる。そして、ライブビュー表示画面３１１へのタッチを離すことで、撮影動作を行うように指示することができる。
【００８９】
ＣＰＵ１０１が、ライブビュー表示画面３１１へのタッチを検出すると、タッチされた位置に対応するライブビュー画面中の位置の情報と、撮影準備開始命令を撮像装置２に送信する。そして、タッチ位置に枠５１２を表示させ、撮影準備の基準となる領域を撮影者に通知する。そして、タッチが離されたことを検出すると、撮像装置２に撮影命令を送信する。
【００９０】
このように、複数の操作・表示画面を用意し、撮影者の操作により切替え可能とすることで、さらにユーザビリティの高い表示制御装置を提供することができる。
【００９１】
（その他の実施例）
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００９２】
上述の実施例では、撮像装置２と表示制御装置１００とから構成されるリモート撮影システムにおいて本発明を実現する場合について説明したが、システム構成はこれに限られない。さらに多数の装置によりシステムを構成してもよい。また、本発明は。リモート撮影システムに限定されず、タッチパネルディスプレイを有する撮像装置に適応してもよい。その場合、撮像装置のＣＰＵが撮像装置の各部を制御することにより、図６，７のフローチャートを実現する。そして、フローチャートにおいて、リモートライブビュー表示は通常のライブビュー表示を行い、各種命令の送信は、撮像装置のＣＰＵがＴＧ３２やＩＣ３３に送信することにより、撮像装置での撮影動作や撮影準備動作を制御するように構成するとよい。
【００９３】
また、上述の実施例では、ＳＷ１、ＳＷ２をボタンとして表示したが、他の表示アイテムでもよい。ボタンではなく、専用のアイコンを表示させてもよいし、他の形状の表示物を表示させてもよい。
【００９４】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００９５】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００９６】
その場合、プログラムの機能を有していれば、オブジェクトコード、インタプリタにより実行されるプログラム、ＯＳに供給するスクリプトデータ等、プログラムの形態を問わない。
【００９７】
プログラムを供給するための記録媒体としては、例えば、ハードディスク、磁気テープ等の磁気記録媒体、光／光磁気記憶媒体、不揮発性の半導体メモリでもよい。
【００９８】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
0006039328.tif 000002
【図２】
0006039328.tif 000003
【図３】
0006039328.tif 000004
【図４】
0006039328.tif 000005
【図５】
0006039328.tif 000006
【図６】
0006039328.tif 000007
【図７】
0006039328.tif 000008
【図８】
0006039328.tif 000009